(57)【特許請求の範囲】
【請求項１】
回転軸にシールを外嵌装着して、送液室内から回転軸を伝わって送液室外へ液が洩れ出るのを阻止するポンプの軸シール構造において、前記回転軸に、前記シールを内蔵したシール収納具を着脱自在に外嵌し、該シール収納具の固定側を移動しないように配置し、手前側に羽根車を収納する送液室を形成すると共に奥側に前記回転軸の軸支部を形成するケーシングが、前記回転軸に対する羽根車の着脱ができるように接合分離可能な複数個の分割部からなり、前記回転軸の外側に形成されて該分割部を分離して羽根車を回転軸から取外したときに手前側を開口するケーシングの格納空間に対して、手前側から前記シール収納具を着脱自在に格納できるようにし、前記ケーシングは、前記格納空間の外側に手前側及び奥側の鍔部をそれぞれ形成すると共に、奥側の鍔部より更に奥側にケーシング外側から緊締具の緊締操作ができる緊締具収納空間を形成し、前記シール収納具は、外周面側に手前側のフランジ部及び奥側の連結部のそれぞれを形成し、上記ケーシングの両方の鍔部を、該フランジ部と該緊締具収納空間に収納されて該連結部に緊締状態で連結した緊締具とで挟圧保持したことを特徴とするポンプの軸シール構造。
【請求項２】
前記シール収納具の奥側の連結部は雄ネジからなり、前記緊締具はナットからなり、該雄ネジに該ナットを緊締螺着して前記両方の鍔部を挟圧保持した請求項１記載のポンプの軸シール構造。
【請求項３】
前記シール収納具の奥側の連結部はシール収納具に凹設したスナップリング嵌着用凹溝からなり、前記緊締具は前記シール収納具の奥側を外嵌する押しボルト付きリンク及びスナップリングからなり、スナップリング嵌着用凹溝に嵌着したスナップリングで押しボルト付きリンクを移動させないようにして、押しボルト付きリンクの押しボルトを緊締して前記両方の鍔部を挟圧保持した請求項１記載のポンプの軸シール構造。
【請求項４】
前記シール収納具は、内側の一端側に保持用環状段部を形成した筒部及び該筒部の他端側へ着脱自在に接合して内側に保持用環状段部を形成した蓋部からなる固定側の外側部材と、該外側部材に内挿したスリーブからなる回転側の内側部材とを備え、該スリーブの外側で且つ外側部材の両保持用環状段部の間に、該外側部材にシートリングを密着させると共に該シートリングに従動リングをスプリングで圧接して密封させるメカニカルシールを配置し、前記回転軸に該スリーブを外嵌して密封した請求項１、２又は３記載のポンプの軸シール構造。
【請求項５】
前記ケーシングの前記手前側の鍔部及び前記シール収納具の手前側のフランジ部は、両部の当接する箇所のそれぞれを保護層で被覆し、両保護層を当接させて密着した請求項１、２、３又は４記載のポンプの軸シール構造。
【発明の詳細な説明】
【０００１】
【発明の属する技術分野】
本発明は、ポンプの回転軸にシールを外嵌装着して、送液室内から回転軸を伝わって送液室外へ液が洩れ出るのを阻止する軸シール構造の改良に関するものである。該シールには、メカニカルシール、グランドパッキンまたはオイルシールがある。
【０００２】
【従来の技術】
従来、ポンプ５０の軸シール構造５１には、図５に示す如く、回転軸５２とケーシング５３との間の格納空間５４にメカニカルシール５５を配置し、回転軸５２にメカニカルシール５５を外嵌装着したものがある。メカニカルシール５５は、ケーシング５３に密着した固定のシートリング５６と、回転軸５２に密着して回転軸５２と共に回転する従動リング５７と、シートリング５６に従動リング５７を密封するように圧接させるスプリング５８とを備えている。図示のメカニカルシール５５は、ダブルメカニカルシールであって、シートリング５６及び従動リング５７をそれぞれ２個づつ備えている。
【０００３】
ポンプ５０を組み立てるときに行うメカニカルシール５５の組み込みは、ケーシング５３の分割部５３ａから分割部５３ｂを分離して一端を開口した格納空間５４に、メカニカルシール５５のシートリング５６、従動リング５７及びスプリング５８を挿着した後に、ケーシング５３の分割部５３ａと分割部５３ｂとを接合して行っている。
【０００４】
遠心式のポンプには、図示省略したが、前記メカニカルシール５５の代わりに、グランドパッキンまたはオイルシールを用いたものがある。更に、遠心式のポンプには、設置固定される軸受部に回転軸を水平状態で軸支した大型タイプのものがある。この大型タイプのポンプには、シートリング及び従動リングのそれぞれを上下に分割できる二つ割り式のシングルメカニカルシールが用いられる。
【０００５】
【発明が解決しようとする課題】
しかし、前記ポンプ５０を組み立てるときに行うメカニカルシール５５の組み込みは、シートリング５６に従動リング５７を回転自在に面接触させる密封箇所を得るために、シートリング５６、従動リング５７及びスプリング５８を挿着して調整する必要があり、この調整作業に高度の熟練と経験を必要としていた。また、メカニカルシール５５を保守点検または交換する作業についても、メカニカルシール５５の組み込みを伴うため、同様に高度の熟練と経験を必要としていた。グランドパッキンまたはオイルシールを用いるポンプの場合についても、同様にシールの組み込みについて熟練と経験を必要としていた。
【０００６】
また、二つ割りタイプのシングルメカニカルシールを用いる大型のポンプは、シートリングに従動リングを圧接させるスプリングを備えていないため、シートリングと従動リングとの間の密封能力に限界があり、送液室内から回転軸を伝わって室外へ液が洩れ出ることがある。
【０００７】
そこで、本発明は、シールの組み込みが容易にできると共に、羽根車側から取付操作ができないシール収納具の取付ができるようにしたポンプの軸シール構造を提供せんとするものである。
【０００８】
【課題を解決するための手段】
シールの組み込みが容易にできると共に、羽根車側から取付操作ができないシール収納具の取付ができるようにするために請求項１記載の本発明が採用した手段は、回転軸にシールを外嵌装着して、送液室内から回転軸を伝わって送液室外へ液が洩れ出るのを阻止するポンプの軸シール構造において、前記回転軸に、前記シールを内蔵したシール収納具を着脱自在に外嵌し、該シール収納具の固定側を移動しないように配置し、手前側に羽根車を収納する送液室を形成すると共に奥側に前記回転軸の軸支部を形成するケーシングが、前記回転軸に対する羽根車の着脱ができるように接合分離可能な複数個の分割部からなり、前記回転軸の外側に形成されて該分割部を分離して羽根車を回転軸から取外したときに手前側を開口するケーシングの格納空間に対して、手前側から前記シール収納具を着脱自在に格納できるようにし、前記ケーシングは、前記格納空間の外側に手前側及び奥側の鍔部をそれぞれ形成すると共に、奥側の鍔部より更に奥側にケーシング外側から緊締具の緊締操作ができる緊締具収納空間を形成し、前記シール収納具は、外周面側に手前側のフランジ部及び奥側の連結部のそれぞれを形成し、上記ケーシングの両方の鍔部を、該フランジ部と該緊締具収納空間に収納されて該連結部に緊締状態で連結した緊締具とで挟圧保持したことを特徴とするポンプの軸シール構造である。
請求項１記載の本発明にあっては、ポンプの組み立てとは別工程でシールを内蔵したシール収納具を予め得ることができると共に、予め得たシール収納具を回転軸に外嵌して配置することで、シールの組み込みを終えることができる。また、本発明にあっては、羽根車の着脱のために分割部を分離したときに、回転軸の外側に形成した格納空間の手前側を開口できるので、手前側から格納空間内へシール収納具を容易に格納できる。更に、本発明にあっては、格納空間内へ格納したシール収納具の連結部に緊締具を連結して、緊締具に対する緊締操作をケーシング外側から行うことで、シール収納具の固定側をケーシングに強固に固定することができる。
【０００９】
請求項２記載の本発明が採用した手段は、前記シール収納具の奥側の連結部は前記筒部に形成した雄ネジからなり、前記緊締具はナットからなり、該雄ネジに該ナットを緊締螺着して前記両方の鍔部を挟圧保持した請求項１記載のポンプの軸シール構造である。
【００１０】
請求項３記載の本発明が採用した手段は、前記シール収納具の奥側の連結部はシール収納具に凹設したスナップリング嵌着用凹溝からなり、前記緊締具は前記シール収納具の奥側を外嵌する押しボルト付きリンク及びスナップリングからなり、スナップリング嵌着用凹溝に嵌着したスナップリングで押しボルト付きリンクを移動させないようにして、押しボルト付きリンクの押しボルトを緊締して前記両方の鍔部を挟圧保持した請求項１記載のポンプの軸シール構造である。
【００１１】
メカニカルシールの組み込みを正確にできるようにするために請求項４記載の本発明が採用した手段は、前記シール収納具は、内側の一端側に保持用環状段部を形成した筒部及び該筒部の他端側へ着脱自在に接合して内側に保持用環状段部を形成した蓋部からなる固定側の外側部材と、該外側部材に内挿したスリーブからなる回転側の内側部材とを備え、該スリーブの外側で且つ外側部材の両保持用環状段部の間に、該外側部材にシートリングを密着させると共に該シートリングに従動リングをスプリングで圧接して密封させるメカニカルシールを配置し、前記回転軸に該スリーブを外嵌して密封した請求項１、２又は３記載のポンプの軸シール構造。である。
請求項４記載の本発明にあっては、シール収納具の外側部材に形成した両保持用環状段部の間の所定位置に、メカニカルシールが正確に配置されていると共に、従動リングを密着させたスリーブを回転軸に外嵌してあるため、回転軸の外側の所定位置にメカニカルシールを内蔵しているシール収納具を正確に組込むことができる。
【００１２】
ケーシングとシール収納具とを容易に密着できるようにするために請求項５記載の本発明が採用した手段は、前記ケーシングの前記手前側の鍔部及び前記シール収納具の手前側のフランジ部は、両部の当接する箇所のそれぞれを保護層で被覆し、両保護層を当接させて密着した請求項１、２、３又は４記載のポンプの軸シール構造である。
請求項５記載の本発明にあっては、ケーシングの手前側の鍔部にシール収納具の手前側のフランジ部を両保護層を介して密着させることができる。
【００１３】
【発明の実施の形態】
以下、本発明に係るポンプの軸シール構造（以下、「本発明シール構造」という）を図１乃至図４に示す実施の形態に基づいて説明する。図１は本発明シール構造を備えたポンプ全体を示すものであって上半側を断面した側面図、図２は本発明シール構造の要部を示すものであって上半側を断面した側面図、図３は本発明シール構造を構成するシール収納具を回転軸から分離した状態を示すものであって上半側を断面した側面図、図４はシール収納具を別異の固定構造で固定した本発明シール構造の要部を示すものであって上半側を断面した側面図である。なお、以下の説明において、「前」とは図１乃至図４の左側を示し、「後」とは同図の右側を示す。
【００１４】
本発明シール構造を備えたポンプ１は、図１に示す如く、遠心式ポンプであって、分割式のケーシング２と、ケーシング２にコロ軸受１２，１２，…で回転自在に軸支した回転軸３と、回転軸３の前端部３ａに着脱自在に取着した羽根車４と、ケーシング２と回転軸３との間に配置したシール収納具５とを備えている。このポンプ１の軸シール構造は、回転軸３に、メカニカルシール６を内蔵したシール収納具５を着脱自在に外嵌して、シール収納具５の固定側を移動しないように配置することで、羽根車４を収納する送液室２ａ内から回転軸３を伝わって室外へ液が洩れ出るのを阻止するようにしてある。
【００１５】
前記回転軸３は、後端側に駆動用プーリ等の伝動具（図示略）を取り付けるための入力部３ｂを形成すると共に、前端部３ａに形成した雄ネジに、羽根車４のボス部４ａに形成した雌ネジを螺合して、入力部３ｂから入力された回転駆動力で羽根車４を回転させるようにしてある。回転軸３は、外嵌したシール収納具５の後側に水切りカラー２８を外嵌させ、コロ軸受１２の内輪１２ａに水切りカラー２８を当接させるようにしてある。
【００１６】
前記ケーシング２は、手前側に羽根車４を収納する送液室２ａを形成すると共に奥側に回転軸３の軸支部を形成するように、鋳鉄等から成形された複数個の分割部７〜１０を複数本のボルト１１で分離可能に接合して構成したものであって、回転軸３を複数個のコロ軸受１２及びスリーブ３１を介して軸支する後側分割部７と、羽根車４を収納する送液室２ａの後側を形成する中間分割部８，９と、送液室２ａの前側を形成する前側分割部１０とからなる。後側分割部７は、コンクリート等の基礎に固定された架台（図示略）に接続固定されるか、または基礎に直接固定される設置固定側となっている。ケーシング２は、前側分割部１０の手前側に吸引口２ｂが設けられ、中間分割部８及び前側分割部１０の合わせ箇所の上方等に吐出口２ｃが設けられている。ケーシング２は、前側分割部１０を中間分割部８から分離すると共に回転軸３から羽根車４を取外したときに、図３に示す如く、回転軸３の外側に形成してある格納空間Ｓの手前側を開口できるようにしてあり、手前側の開口部から格納空間Ｓ内へシール収納具５を着脱自在に格納できるようにしてある。
【００１７】
前記ケーシング２は、図２及び図３に示す如く、前記格納空間Ｓの外側に手前側の鍔部２ｄ及び奥側の鍔部２ｅがそれぞれ形成されている。ケーシング２は、奥側の鍔部２ｅより更に奥側に緊締具収納空間２ｆが形成されていると共に、ケーシング外部から緊締具収納空間２ｆを臨む開口部２ｇが形成され、ケーシング外側から開口部２ｇを介して緊締具収納空間２ｆに挿入した緊締具であるナット２９を、ケーシング外側から緊締操作ができるようにしてある。ケーシング２は、格納空間Ｓ内へ格納したシール収納具５が組み込まれることにより、手前側の鍔部２ｄと奥側の鍔部２ｅとの間に、密閉する室３０を形成する。この室３０は、メカニカルシール６に供給する封止流体を溜めておくためのものである（以下「封止流体室３０」という）。
【００１８】
前記羽根車４は、図１に示す如く、鋳鉄等から成形され、前記ボス部４ａと、円盤状の基盤部４ｂと、基盤部４ｂから突設した複数枚の水掻き羽根４ｃとを備えている。前記ケーシング２及び羽根車４は、ポンプアップする流体と接触する箇所が、ゴムや合成樹脂等の素材からなる保護層１３，１４で被覆され、耐腐食性又は耐磨耗性等の向上を図っている。
【００１９】
前記シール収納具５は、図３に示す如く、筒部１７及び蓋部１８からなる固定側の外側部材１５と、外側部材１５に内挿したスリーブからなる回転側の内側部材１６とを備え、外側部材１５と内側部材１６との間にメカニカルシール６を内蔵してある。蓋部１８は、前側に保持用環状段部１８ａが形成され、筒部１７の後端にシールリング２２を介して挿着して複数本のボルト２１で接合されている。シール収納具５は、回転軸３に内側部材１６を外嵌して、回転軸３との間をシールリング２７で密封するようにしてある。外側部材１５の筒部１７は、外側前端側に鍔状のフランジ部１７ａが形成され、外側中央の上下側に封止流体室３０に面する連通孔１７ｂ，１７ｂが形成され、外側後端側に連結部となる雄ネジ部１７ｃが形成され、内側前端側に保持用環状段部１７ｄが形成され、フランジ部１７ａの後方外側に螺着したボルトや打ち込んだピン等からなる回転止め具１９を突設してある。
【００２０】
該フランジ部１７ａは、流体と接触する前側箇所から前記中間分割部９と接合する後側箇所に亘って、ゴムや合成樹脂等の素材からなる保護層２０で被覆されている。ケーシング２の中間分割部９は、該フランジ部１７ａが当接する手前側の鍔部２ｄの前側まで前記保護層１３を延長してある。鍔部２ｄとフランジ部１７ａとが当接する箇所の保護層２０，１３は、図２に示す如く、確実に密着して当接するのに必要な硬さのゴムや合成樹脂素材から形成されている。
【００２１】
前記メカニカルシール６は、図３に示す如く、シール収納具５の外側部材１５の内側に形成してある前方の保持用環状段部１７ｄと後方の保持用環状段部１８ａとの間に配置され、スリーブからなる内側部材１６を外嵌するようになっている。本実施の形態のメカニカルシール６は、ダブルメカニカルシール構造であって、シール収納具５の外側部材１５に密着して固定した前後のシートリング２３，２３と、シール収納具５の内側部材１６に密着して内側部材１６及び回転軸３と共に回転する前後の従動リング２４，２４と、シートリング２３，２３に従動リング２４，２４を密封するように圧接させるスプリング２５とを備えている。前方のシートリング２３は、シール収納具５の前方の保持用環状段部１７ｄに内嵌してある環状リング２６でバックアップしてあり、保護層２０との接触を断って安定した状態で配置してある。なお、メカニカルシール６は、ダブルメカニカルシール構造に限定するものではなく、シングルメカニカルシール構造を選択することも可能である。また、ポンプのシール構造に応じて、メカニカルシール６をグランドパッキンまたはオイルシールに置換することも可能である。
【００２２】
前記ケーシング２に対するシール収納具５の組み込みは、図３に示すように、回転軸３に外嵌した状態で格納空間Ｓへ格納して、ケーシング２の回転止め切欠部２ｈに回転止め具１９を挿入した空回りしない状態とし、連結部である雄ネジ部１７ｃに緊締具であるナット２９を螺着して緊締することにより、図２に示すように、ケーシング２の両方の鍔部２ｄ，２ｅをフランジ部１７ａとナット２９とで挟圧保持して行われる。組み込まれたシール収納具５は、ケーシング２の手前側の鍔部２ｄに保護層１３，２０を介してフランジ部１７ａを密着させる共に、ケーシング２の奥側の鍔部２ｅにシールリング３２を介して密封することにより、封止流体室３０を密封する。組み込まれたシール収納具５は、連通孔１７ｂ，１７ｂを介して封止流体室３０とメカニカルシール６とを連通させ、封止流体室３０に充填した封止流体をメカニカルシール６へ導いて、メカニカルシール６の焼き付きを防止しつつ封止させることができる。
【００２３】
ポンプ１の組み立ては、次の手順で行われる。先ず、後側分割部７に回転軸３を組み込む作業を行う。この作業は、スリーブ３１に回転軸３を挿入してコロ軸受１２で回転自在に軸支すると共に、スリーブ３１の前後端に軸受蓋３３，３４を複数本のボルト３５で取着し、一体化したスリーブ３１及び回転軸３を後側から後側分割部７へ挿入し、その後に、後側分割部７の後端に軸受蓋３４を複数本のボルト３６で取着して、スリーブ３１及び回転軸３が前後方向へ移動しないようにする。スリーブ３１及び回転軸３を後側分割部７へ挿入する作業は、ケーシング２の開口部２ｇを介して後側分割部７の緊締具収納空間２ｆに予め収納しておいた水切りカラー２８及び緊締具であるナット２９へ回転軸３を挿通して行われる。
【００２４】
次に、メカニカルシール６を内蔵したシール収納具５の組み込み作業を行う。この作業は、後側分割部７に中間分割部９，８を複数本のボルト１１で接合して格納空間Ｓを形成し、メカニカルシール６を内蔵したシール収納具５を前側から格納空間Ｓへ挿入して格納すると共にシール収納具５の雄ネジ部１７ｃにナット２９を螺合し、後側分割部７の外側からケーシング２の開口部２ｇを介してナット２９を緊締する。この緊締により、ケーシング２の両方の鍔部２ｄ，２ｅをフランジ部１７ａとナット２９とで挟圧保持し、ケーシング２の手前側の鍔部２ｄの保護層１３にシール収納具５のフランジ部１７ａの保護層２０を密着させる。ナット２９の緊締により所定位置に組み込まれたシール収納具５は、外側部材１５に形成した両保持用環状段部１７ｄ，１８ａの間にメカニカルシール６を正確に配置しているため、回転軸３の外側の所定位置にメカニカルシール６を正確に組込むことができる。
【００２５】
続けて、回転軸３の前端部３ａに羽根車４を螺合して取着する作業を行う。この取着により、シール収納具５のスリーブからなる内側部材１６は、水切りカラー２８と羽根車４のボス部４ａとで挟持され、所定位置に固定されて回転軸３と共に回転できるようになる。最後に、中間分割部８に前側分割部１０を複数本のボルト１１で接合して組立作業を完了する。
【００２６】
上述の如く、ポンプ１は、メカニカルシール６を内蔵したシール収納具５をポンプ本体の組み立てと切り離して予め得ることができると共に、予め得たシール収納具５を回転軸３に外嵌して配置することで、メカニカルシール６の組み込みを終えることができる。更に、ポンプ１は、保守点検のために前側分割部１０及び羽根車４を取外すと、手前側が開口した格納空間Ｓへシール収納具５を容易に脱着できる。
【００２７】
前記シール収納具５は、ケーシング２の送液室２ａに面する手前側が、保護層２０で被覆されて平坦に形成されて、工具を引っかけることができない形状となっているため、奥側でナット２９を螺合して組み込むようにしてある。しかし、シール収納具５の手前側を保護層２０で被覆することなく工具を引っかけることができる形状とすることができる場合には、図示は省略したが、ケーシング２の奥側の鍔部２ｅの内周面に形成した雌ネジに、外側部材１５の奥側に形成した雄ネジを螺合させ、シール収納具５の手前側に引っかけた工具で緊締させるように構成することも可能である。
【００２８】
前記ケーシング２に対するシール収納具５の固定は、連結部である雄ネジ部１７ｃに緊締具であるナット２９を螺着して緊締する構造に限定するものではなく、図４に示す別異の固定構造で行うことも可能である。この別異の固定構造は、シール収納具５を構成する外側部材１５の筒部１７の外側後端側に凹設した連結部となるスナップリング嵌着用凹溝１７ｆと、ケーシング２の緊締具収納空間２ｆに開口部２ｇを介して挿入した緊締具となる押しボルト付きリンク３９及びスナップリング４０とを備え、スナップリング嵌着用凹溝１７ｆに嵌着したスナップリング４０で押しボルト付きリンク３９の抜け移動を阻止し、ケーシング外側から開口部２ｇを介して押しボルト付きリンク３９のボルト３９ａを緊締操作することで、筒部１７のフランジ部１７ａと筒部１７に連結した押しボルト付きリング３９とでケーシング２の両方の鍔部２ｄ，２ｅを挟圧保持するようにしてある。なお、この別異の固定構造では、回転止め具１９を省略してもよい。
【００２９】
前記押しボルト付きリンク３９は、環状のリンク本体３９ｂと、リンク本体３９ｂに螺着した複数本（好ましくは４本）のボルト３９ａとを備え、複数本のボルト３９ａをトルクレンチ（図示略）を用いる等して均等な締付け力で螺進させることで、ケーシング２の鍔部２ｅを押圧するようにしてある。
【００３０】
【発明の効果】
請求項１記載の本発明シール構造は、ケーシング外側から緊締具を緊締操作することでシール収納具を固定することができるため、羽根車側からシール収納具の取付操作ができないときにシール収納具の取付が可能となる。
【００３１】
請求項４記載の本発明シール構造は、回転軸の外側の所定位置にメカニカルシールを内蔵しているシール収納具を正確に組込むことができる。
【００３２】
請求項５記載の本発明シール構造は、ケーシングの手前側の鍔部にシール収納具の手前側のフランジ部を両保護層を介して密着させることができるため、ケーシングとシール収納具とを容易に密着させることが可能となる。
【図面の簡単な説明】
【図１】本発明シール構造を備えたポンプ全体を示すものであって上半側を断面した側面図である。
【図２】組込んだ本発明シール構造の要部を示すものであって上半側を断面した側面図である。
【図３】本発明シール構造を構成するシール収納具を回転具側から分離した状態を示すものであって上半側を断面した側面図である。
【図４】シール収納具を別異の固定構造で固定した本発明シール構造の要部を示すものであって上半側を断面した側面図である。
【図５】従来の軸シール構造を備えたポンプを断面して示す側面図である。
【符号の説明】
１…ポンプ、２…ケーシング、２ａ…送液室、２ｂ…手前側の鍔部、２ｅ…奥側の鍔部、２ｆ…緊締具収納空間、２ｇ…開口部、３…回転軸、４…羽根車、５…シール収納具、６…メカニカルシール、７〜１０…分割部、１２…ベアリング、１３…保護層、１４…保護層、１５…外側部材、１６…内側部材（スリーブ）、１７…筒部、１７ｄ…保持用環状段部、１７ｆ…スナップリング嵌着用凹溝、１８…蓋部、１８ａ…保持用環状段部、２０…保護層、２７…シートリング、２４…従動リング、２９…ナット、３０…封止流体室、３９…押しボルト付きリンク、４０…スナップリング、Ｓ…格納空間
【図１】
0004120864.tif 000002
【図２】
0004120864.tif 000003
【図３】
0004120864.tif 000004
【図４】
0004120864.tif 000005
【図５】
0004120864.tif 000006